(57)【要約】【課題】ハンガー１つ１つに温風発生手段を取り付けると、構成が複雑で大型化し、多数を並べて収納することが難しいとともに、高価になる。【解決手段】複数のエア供給口１０を有するエア供給管２と、エア供給管２にエアを供給するエア供給装置４と、エア供給管２に掛けられ、エア供給口１０からエアを取り込むエア取入口２０および取り入れたエアを外部に吹き出すエア吹出口１７を有するハンガー５とを備える。【選択図】図６
2006288486.tif 000002
【特許請求の範囲】
【請求項１】
複数のエア供給口を有するエア供給管と、
前記エア供給管にエアを供給するエア供給装置と、
前記エア供給管に掛けられ、前記エア供給口からエアを取り込むエア取入口および取り入れたエアを外部に吹き出すエア吹出口を有するハンガーと、を備えたことを特徴とするハンガー装置。
【請求項２】
請求項１記載のハンガー装置において、
前記エア供給管内に設けられた、前記エア供給口を開閉する開閉弁と、
前記ハンガーに設けられた、前記エア供給管に前記ハンガーを掛けたとき前記開閉弁を操作して前記エア供給口を開放する弁操作部と、
を備えたことを特徴とするハンガー装置。
【請求項３】
請求項２記載のハンガー装置において、
前記開閉弁は、ばねで前記エア供給口を閉鎖する方向に付勢された弁部材を有し、該弁部材を前記弁操作部で押し下げることにより前記エア供給口を開放するものであることを特徴とするハンガー装置。
【請求項４】
請求項２記載のハンガー装置において、
前記開閉弁は、前記エア供給口を閉鎖する弾性板により形成され、該弁部材を前記弁操作部で押し開くことにより前記エア供給口を開放するものであることを特徴とするハンガー装置。
【請求項５】
請求項２乃至４いずれかに記載のハンガー装置において、
前記開閉弁は、前記ハンガーを載置したとき、該ハンガーの重量では開放されず、該ハンガーに衣類等を掛けたとき、その重量により開放されるように構成されていることを特徴とするハンガー装置。
【請求項６】
請求項２乃至５いずれかに記載のハンガー装置において、
前記開閉弁が開放された状態を検知するセンサを備え、該センサの検知信号で前記エア供給装置を自動的に運転させるように構成されていることを特徴とするハンガー装置。
【請求項７】
請求項１乃至６のいずれかに記載のハンガー装置において、
前記エア供給管に、前記ハンガーを前記エア供給口と連通する位置に設定可能な嵌合凹部を形成したことを特徴とするハンガー装置。
【請求項８】
請求項１乃至７のいずれかに記載のハンガー装置において、
前記ハンガーに、エアの流量を調整可能な絞り弁を設けたことを特徴とするハンガー装置。
【請求項９】
請求項１乃至８のいずれかに記載のハンガー装置において、
前記エア供給装置に、供給するエアを温風化するヒータを設けたことを特徴とするハンガー装置。
【請求項１０】
請求項１乃至９のいずれかに記載のハンガー装置において、
前記エア供給装置に、供給するエアをマイナスイオン化するマイナスイオン発生装置を設けたことを特徴とするハンガー装置。
【請求項１１】
請求項１乃至１０のいずれかに記載のハンガー装置において、
前記エア供給装置に、供給するエアをオゾン化するオゾン発生装置を設けたことを特徴とするハンガー装置。
【請求項１２】
請求項１乃至１１のいずれかに記載のハンガー装置において、
前記エア供給装置に、供給するエアを除湿する除湿フィルタを設けたことを特徴とするハンガー装置。
【請求項１３】
請求項１乃至１２のいずれかに記載のハンガー装置において、
前記エア供給装置に、供給するエアの温度、送風量、送風時間のいずれかを調整可能な調整手段を設けたことを特徴とするハンガー装置。
【請求項１４】
請求項１乃至１３のいずれかに記載のハンガー装置において、
前記エア供給管を収納ケース内に取り付けたことを特徴とするハンガー装置。
【発明の詳細な説明】
【技術分野】
【０００１】
本発明は、エアを吹き出すことにより、掛けた衣服等を乾燥するようにしたハンガー装置に関する。
【背景技術】
【０００２】
従来、エアを吹き出すことにより、掛けた衣類等を乾燥させることを意図したハンガーが種々提案されている。
特許文献１には、温風発生手段からの温風の供給を受け、ハンガーの開口部から衣類内に温風を吹き込むようにした衣類乾燥機が開示されている。
また、特許文献２には、ハンガー内に温風ファンを設け、温風をハンガーの外方へ吹き出すようにした技術が開示されている。
【特許文献１】特開平１０−５７７００号公報
【特許文献２】特開２０００−２３０４７６号公報
【発明の開示】
【発明が解決しようとする課題】
【０００３】
しかしながら、特許文献１、２ともに、ハンガー１つ１つに温風発生手段を取り付けた構造であるので、構成が複雑で大型化し、多数を並べて収納することが難しいとともに、高価であるという問題がある。
【課題を解決するための手段】
【０００４】
本発明によれば、
複数のエア供給口を有するエア供給管と、
前記エア供給管にエアを供給するエア供給装置と、
前記エア供給管に掛けられ、前記エア供給口からエアを取り込むエア取入口および取り入れたエアを外部に吹き出すエア吹出口を有するハンガーと、を備えたことを特徴とするハンガー装置が提供される。
【０００５】
衣類等を掛けたハンガーをエア供給管に掛けると、エア供給管のエア供給口が連通し、エア供給装置からエア供給管に供給されたエアがエア取入口からハンガー内に取り入れられ、エア吹出口から吹き出され、このエアが衣類等内に吹き込まれ、ここを通り抜ける間に衣類等は乾燥される。
【０００６】
前記エア供給管内に設けられた、前記エア供給口を開閉する開閉弁と、前記ハンガーに設けられた、前記エア供給管に前記ハンガーを掛けたとき前記開閉弁を操作して前記エア供給口を開放する弁操作部と、を備えることが好ましい。
【０００７】
前記開閉弁は、ばねで前記エア供給口を閉鎖する方向に付勢された弁部材を有し、該弁部材を前記弁操作部で押し下げることにより前記エア供給口を開放するもの、あるいは、前記エア供給口を閉鎖する弾性板により形成され、該弁部材を前記弁操作部で押し開くことにより前記エア供給口を開放するものであることが好ましい。
【０００８】
前記開閉弁は、前記ハンガーを前記嵌合凹部に載置したとき、該ハンガーの重量では開放されず、該ハンガーに衣類等を掛けたとき、その重量により開放されるように構成されていることが好ましい。
【０００９】
前記嵌合凹部に前記ハンガーをセットした状態、または前記開閉弁が開放された状態を検知するセンサを備え、該センサの検知信号で前記エア供給装置を自動的に運転させるように構成されていることが好ましい。
【００１０】
前記エア供給管に、前記ハンガーを前記エア供給口と連通する位置に設定可能な嵌合凹部を形成することが好ましい。エア供給管の取り付け方については種々の態様を採り得るが、たとえば収納ケース内に取り付けることができる。
【００１１】
前記ハンガーに、エアの流量を調整可能な絞り弁を設けることが好ましい。
【００１２】
前記エア供給装置に、以下のものを単独でまたは組み合わせて設けてもよい。
(i)供給するエアを温風化するヒータ
(ii)供給するエアをマイナスイオン化するマイナスイオン発生装置、
(iii)供給するエアをオゾン化するオゾン発生装置
(iv)供給するエアを除湿する除湿フィルタ、
(v)供給するエアの温度、送風量、送風時間のいずれかを調整可能な調整手段
【発明の効果】
【００１３】
本発明によれば、エア供給口を有するエア供給管にハンガーを掛け、エア供給装置から供給されるエアをハンガーに取り入れて衣類等の内部に吹き出すようにしたので、衣類等の乾燥を効率よく行うことができる。また、ハンガーは中空の軽量、小型で簡単な構成でよく、製造コストも比較的安価ですむ。
【発明を実施するための最良の形態】
【００１４】
以下、本発明の実施形態について、図面を用いて説明する。
図１は、本発明のハンガー装置の構成図である。
同図に示すように、このハンガー装置は、収納ケース１内に横向きに取り付けられたエア供給管２と、このエア供給管２にエアホース３を介してエアを供給するエア供給装置４と、エア供給管２に掛けられた１ないし複数のハンガー５とを備えている。
【００１５】
図２に示すように、ハンガー５は、衣類等を掛ける本体部５ａと、エア供給管２に引掛けるフック部５ｂとを有している。
【００１６】
図３および図４は、図１の円III部分の拡大断面図であって、図３はフックを掛ける直前の状態、図４はフックを掛けた状態を示す。図５は図３のV−V線断面図、図６は図４のVI−VI線断面図である。
【００１７】
エア供給管２は、硬質樹脂または金属からなる中空の管であり、先端（図の左端部）はキャップ７により閉塞され、基端にはエアホース３が接続されている（図１参照）。エア供給管２の上部には、両側上部にテーパ面８を有する嵌合凹部９が形成され、この嵌合凹部９の底面の中央にエア供給口１０が形成されている。エア供給管２の内部にはこのエア供給口１０を開閉する開閉弁１１が設けられている。この開閉弁１１は、下部の取付部材１２に固着されたガイド部材１３と、このガイド部１３に摺動自在に嵌合された弁部材１４と、ガイド部材１３と弁部材１４との間に設けられて弁部材１４を付勢するばね１５とを有し、弁部材１４の上面に形成された凸部１６がエア供給口１０に嵌合して閉塞するようになっている。開閉弁１１をエア供給管２に装着するには、最初にガイド部材１３を取付部材１２にねじ２７で固着しておき、弁部材１４を押し込んだ状態で取付部材１２をエア供給管２に挿入すれば、エア供給口１０の位置で凸部１６が突出する。
【００１８】
ハンガー５は、本体部５ａおよびのフック部５ｂはともに互いに連通する密閉された中空のもので、本体部５ａの下面には複数のエア吹出口１７が形成されている。フック部５ｂの下面には肉厚の支持部１９が形成され、この支持部１９にエア取入口２０が形成され、エア取入口２０の下部に開閉弁１１の凸部１６に当接する筒状の弁操作部２１が突設されている。弁操作部２１の外周にはエア取り入れ用のスリット２２が形成されている。
【００１９】
図１に示すように、エア供給装置４には、ファン２３、ヒータ２４が設けられるとともに、必要に応じてマイナスイオン発生器、オゾン発生器（いずれも図示せず）等も設けられている。エア供給装置４の外側には、電源スイッチ２５、および風量調整、温度調整その他の調整が可能な調整部２６が設けられている。電源スイッチ２５を入れることにより、エア供給装置４からエアホース３を介してエア供給管２に暖められたエアが供給される。
【００２０】
次に、このハンガー装置の作用を説明する。
図３および図５の状態から、ハンガー５に衣類等を掛けてフック部５ｂの肉厚部１９を嵌合凹部９に嵌合させると、図４および図６に示すように、弁操作部２１が弁部材１４の凸部１６に当たる。なお、ハンガー５を嵌合凹部９に嵌合させることにより、ハンガー５はエア供給管２のエア供給口１０の位置に自動的に位置決めされる。衣類等の重力により、弁部材１４がばね１５に抗して下降し、エア供給口１０は開放され、弁操作部２１のスリット２２がエア供給管２の内部に露出する。
【００２１】
エア供給装置４の電源スイッチ２５を入れると、ヒータ２４が点灯するとともにファン２３が回転し、温風のエアがエアホース３からエア供給管２に供給され、スリット２２からエア取入口２０を介してフック部５ｂ内に取り入れられて本体部５ａに流れ、エア吹出口１７から吹き出される。このエアは衣類等内に吹き込まれ、ここを通り抜ける間に衣類等は乾燥される。
【００２２】
図７および図８は、開閉弁１１の変形例である。
嵌合凹部９に底面の中央に形成されたエア供給口１０の内側に、放射状の切り込み２９により切断されている、ゴム、軟質樹脂等の弾性板２８からなる開閉弁１１が設けられている。ハンガー５が掛けられていないときは、図７および図８に示すように、エア供給口１０は開閉弁１１により塞がれているが、ハンガー５が嵌合凹部９に掛けられると、図９に示すように、弁操作部２１により開閉弁１１が押し開かれて、エア供給口１０が開口することにより、エアがエア供給口１０からハンガー５に流入する。
【００２３】
上記実施形態では、エア供給管２を横向きに配置した例を示しているが、ハンガー５を掛けられる形態であればどのような向き、例えば、斜めに配置した構成でもよい。また、エア供給管２全体の構成につていても、例えば、地面に対して垂直に起立させた支柱部と、その支柱部から水平方向または斜め方向に延びる一または二以上の枝部とにより構成してもよい。
【００２４】
以上、本発明の実施形態について述べたが、これらは本発明の例示であり、上記以外、例えば、以下のような様々な構成を採用することができる。
（ａ）ハンガー５を嵌合凹部９に載置したとき、ハンガー５の重量では開閉弁１１は開放されず、ハンガー５に衣類等を掛けたとき、その重量により開閉弁１１が開放されるようにする。このように構成することにより、衣類等を掛けないとき、空のハンガー５を嵌合凹部９セットしておくことができる。
（ｂ）ハンガー５を嵌合凹部９にセットした状態、または開閉弁１１が開放された状態をセンサで検知し、その検知信号でエア供給装置４を自動的に運転させるようにする。
（ｃ）ハンガー５のフック部５ｂまたは本体部５ａに絞り弁３０（図５参照）を設け、つまみ３１によりハンガー５に流れるエアの流量を調整できるようにする。
（ｄ）エア供給装置４の調整部２６により、エアの供給時間を設定し、あるいはエアの間欠送りを設定できるようにする。
（ｅ）エア供給装置４に除湿フィルタを設け、ハンガー５に供給するエアを乾燥エアとする。
【図面の簡単な説明】
【００２５】
【図１】本発明のハンガー装置の実施形態を示す側面図である。
【図２】本発明のハンガー装置の実施形態を示す正面図である。
【図３】図１の円III部分の拡大断面図である。
【図４】フックを掛けた状態の断面図である。
【図５】図３のV−V線断面図である。
【図６】図４のVI−VI線断面図である。
【図７】開閉弁の変形例を示すもので、閉鎖状態の断面図である。
【図８】図７のVIII―VIII線断面図である。
【図９】図７の開閉弁の開放状態の断面図である。
【符号の説明】
【００２６】
１  収納ケース
２  エア供給管
３  エアホース
４  エア供給装置
５  ハンガー
５ａ  本体部
５ｂフック部
７  キャップ
８  テーパ面
９  嵌合凹部
１０  エア供給口
１１  開閉弁
１２  取付部材
１３  ガイド部材
１４  弁部材
１５  ばね
１６  凸部
１７  エア吹出口
１９  支持部
２０  エア取入口
２１  弁操作部
２２  スリット
２３  ファン
２４  ヒータ
２５  電源スイッチ
２６  調整部
２７  ねじ
２８  弾性板
２９  切り込み
３０  絞り弁
３１  つまみ
【図１】
2006288486.tif 000003
【図２】
2006288486.tif 000004
【図３】
2006288486.tif 000005
【図４】
2006288486.tif 000006
【図５】
2006288486.tif 000007
【図６】
2006288486.tif 000008
【図７】
2006288486.tif 000009
【図８】
2006288486.tif 000010
【図９】
2006288486.tif 000011